(57)【要約】      （修正有）【課題】スパゲティ等の麺類を水を加えて電子レンジを用い茹でた後、迅速に湯切りが行われ余分な水分がパスタに付着しない簡便な麺類調理容器を提供する。【解決手段】上部に開口１１を有する容器本体１０及び該開口１１に取り付け可能な蓋体２０からなる麺類調理容器１であって、該蓋体２０を容器本体１０に取り付けることにより調理容器内部の水分を排出する湯切り部が形成され、該湯切り部を形成する容器本体及び蓋体の少なくとも一方に液排出溝が設けられてなる。【選択図】図１
0003153506.tif 000002
【実用新案登録請求の範囲】
【請求項１】
上部に開口１１を有する容器本体１０及び該開口１１に取り付け可能な蓋体２０からなる麺類調理容器１であって、該蓋体２０を容器本体１０に取り付けることにより調理容器内部の水分を排出する湯切り部５が形成され、該湯切り部５を形成する容器本体及び蓋体の少なくとも一方に液排出溝が設けられてなる麺類調理容器。
【請求項２】
前記湯切り部が、容器本体の側面に上部開口に向け縦方向に設けられた複数の排出溝、及び該排出溝の排出断面に対応して設けられた蓋体の切欠き部により形成されてなる請求項１の麺類調理容器。
【請求項３】
前記湯切り部が、蓋体の裏面にその外縁に向け水平方向に設けられた複数の排出溝、及び該排出溝の排出断面に対応して設けられた容器本体の切欠き部により形成されてなる請求項１の麺類調理容器。
【請求項４】
調理容器の湯切り部に対向する嵌合部に容器本体と蓋体との通気間隙を設けた請求項１〜３の麺類調理容器。
【請求項５】
調理する麺類を計量する孔を設けた計量具を脱着可能に設けてなる請求項１〜４の麺類調理容器。
【考案の詳細な説明】
【技術分野】
【０００１】
本考案は麺類調理容器に関する。本考案の麺類調理容器は、電子レンジを用いて主にスパゲティ、マカロニ等のパスタ、或いはうどん、そば、ラーメン、ひやむぎ等の麺類を簡便にかつ短時間で茹でることができる。
【背景技術】
【０００２】
パスタは、硬く、緻密に成型された食材であり、調理するに際しては適正な茹で具合が重要である。近年、調理における電子レンジの使用は拡大し、家庭において少量のパスタはしばしば電子レンジを使用して茹でられることがある。また、乾燥状態のうどんなどの麺類も茹でて調理される。このようにスパゲティ、乾麺などを電子レンジにて茹でるための調理容器としては内部にザル様の内容器を設け、茹でた後これを取り出してパスタの湯切りを行うものがある。また、他の提案としては調理容器の蓋に湯切り孔を設け、電子レンジにて茹で調理を行った後、容器を傾けて蓋の孔より湯切りを行う調理容器もある。
【０００３】
【特許文献１】特開２００４−２４２７０９
【考案の開示】
【考案が解決しようとする課題】
【０００４】
しかしながら、前記提案の調理容器では、茹で調理後、使用後の湯は容器を傾けて蓋の湯切り孔から排出されるが湯切り孔の位置の関係から完全に排出することはできず、相当量の湯が容器に残り、不必要な水分がパスタに付着する。また、茹でたパスタが湯切り孔を塞ぎ、湯切り孔を下にして容器を上下に振るような操作をしなければならないことが多い。本考案の目的は、茹でた後のパスタ、麺類からの湯切りが簡便迅速な麺類調理容器を提供することにある。
【課題を解決するための手段】
【０００５】
本考案は、上部に開口を有する容器本体及び該開口に取り付け可能な蓋体からなる麺類調理容器であって、該蓋体を容器本体に取り付けることにより調理容器内部の水分を排出する湯切り部が形成され、該湯切り部を形成する容器本体及び蓋体の少なくとも一方に液排出溝が設けられてなる麺類調理容器を提供するものである。
【０００６】
前記麺類調理容器にあっては、湯切り部が容器本体の側面に上部開口に向け縦方向に設けられた複数の排出溝、及び該排出溝の排出断面に対応して設けられた蓋体の切欠き部により形成されてなるのが好ましい。また、該湯切り部は、蓋体の裏面にその外縁に向け水平方向に設けられた複数の排出溝、及び該排出溝の排出断面に対応して設けられた容器本体の切欠き部により形成されていてもよい。
また、前記の調理容器の湯切り部には、対向する嵌合部に容器本体と蓋体との通気間隙を設けるのが好ましい。さらに調理する麺類を計量する孔を設けた計量具を脱着可能に設けるのが好ましい。
【考案の効果】
【０００７】
本考案の調理容器を用いると、電子レンジを用いて麺類を茹でた後、完全な湯切りを迅速に行うことができ、不必要な水分がパスタに付着することがなく、麺類の調理の手間を省くことができる。また、茹でたパスタが湯切り孔を塞ぎ、湯切りの妨げとなることもない。
【図面の簡単な説明】
【０００８】
【図１】本考案の麺類調理容器の各部を分解したところを示す斜視図である。
【図２】容器本体及びこれに蓋体を被せた本考案の麺類調理容器を示す斜視図である。
【図３】本考案の麺類調理容器の容器本体より蓋体を取り外して裏面を示した斜視図である。
【図４】本考案の麺類調理容器の湯切り部の排出溝を示す拡大斜視図である。
【図５】図２のＡ−Ａ線にて破断した本考案容器の破断斜視図である。
【図６】本考案の調理容器にスパゲティを入れたところを示す破断斜視図である。
【図７】本考案の調理容器を用いて茹で終わった後に湯切りを行っているところを示す斜視図である。
【考案を実施するための最良の形態】
【０００９】
つぎに本考案の麺類調理容器を、前記図面を参照しながら具体例により更に詳細に説明する。
図１〜２に示すように、本考案の麺類調理容器１は容器本体１０と蓋体２０からなる。容器本体１０は上部に開口１１を有し、その四角が丸みを帯びて水平断面がおおよそ長方形をなす。容器本体１０の長さ方向の内部寸法は例えばスパゲティなど、調理対象であるパスタ、麺類の長さに適合した寸法とする。
一方、蓋体２０は容器本体１０の開口１１の上縁に対応した形状を有し容器本体１０に被せられる。
【００１０】
図１及び図３に示すように、容器本体１０の開口１１の上縁には、前記蓋体２０に対応した形状を有し、蓋体２０に密着して嵌まり込む被嵌合部１２が設けられる。また、容器本体１０の上縁の相対向する長辺の各中央には水平方向に耳状に張り出した２つの本体把手１３ａ、１３ｂが設けられる。また、容器本体１０の相対する２つの短辺のうち、やや外側に膨らんだ一方の側面の内壁には上部開口に向けて縦方向に形成されたリブ状の複数の仕切板１４が設けられ、複数の溝状の排出溝１５を形成する。
【００１１】
一方、蓋体２０の周縁には図３に示すように容器本体１０の被嵌合部１２が嵌まり込む嵌合溝２２を有する嵌合部２４が設けられる。
蓋体２０の嵌合部２４の周縁には、前記本体把手１３ａ、１３ｂに対応し向かい合った２箇所に、水平方向に耳状に張り出した蓋把手２３ａ、２３ｂが設けられる。
【００１２】
また、蓋体２０には、容器本体１０の前記排出溝１５を経て排出される熱湯の排出断面に対応する形状に切欠き部２５が設けられる。このような形状の蓋体２０を容器本体１０に取り付けることにより容器本体１０の前記排出溝１５と蓋体２０の切欠き部２５とが組み合わされて湯切り部５が形成され、調理後の熱湯が速やかに排出される(図２，図５)。リブ状の複数の仕切板１４は湯切り部５へのパスタの進入を防止し、湯切りを容易にする。なお、前記湯切り部５の排出溝は、本具体例のごとく調理容器本体側に設けてもよく、また蓋体の裏面に形成してもよい。
さらに、前記嵌合部２４において、切欠き部２５と対向する短辺の嵌合溝２２の一部はその溝断面寸法が大きく形成された通気部２８を形成し、容器本体１０の被嵌合物１２との間に通気間隙２９を形成する。
【００１３】
また、蓋体２０の上面には蓋凹部２７が設けられ、計量具２１が脱着可能に取り付けられる。この計量具２１は大小２つの孔を有し、この大小の口径により例えばスパゲティの１人分、２人分の調理量を計量する。
【００１４】
本考案の麺類調理容器にはこのような食品用のプラスチック容器に汎用の各種材料がいずれも用いられてよく、通常、ポリプロピレン、ポリスチレンなど種々のプラスチックにより成形することができる。
【００１５】
この麺類調理容器により、たとえばスパゲティを茹でるには、蓋体２０より取り外した計量具２１を用いて必要量のスパゲティＳを容器本体１０に入れる(図６)。これに所定量の水、少量の食塩を加え、電子レンジにて加熱操作を行う。所定時間経過しスパゲティが茹で終わったところで麺類調理容器１を取り出し、図７に示すように湯切り部５を下に麺類調理容器１を傾けて湯切りを行う。その後、内部のスパゲティを取り出し、ソースをあえるなどして食卓に供する。
【産業上の利用可能性】
【００１６】
この麺類調理容器は主にスパゲティ等の麺類を水を加えて電子レンジを用い茹でた後、迅速に湯切りが行われ余分な水分がパスタに付着せず、そのまま食卓に供することができる。
【符号の説明】
【００１７】
１  麺類調理容器      ５  湯切り部      １０  容器本体        １１  開口
１２  被嵌合部          １３ａ、１３ｂ  本体把手                １４  仕切板
１５  排出溝            ２０  蓋体        ２１  計量具          ２２  嵌合溝
２３ａ、２３ｂ  蓋把手                    ２４  嵌合部          ２５  切欠き部
２７  蓋凹部            ２８  通気部      ２９  通気間隙        Ｓ  スパゲティ
【図１】
0003153506.tif 000003
【図２】
0003153506.tif 000004
【図３】
0003153506.tif 000005
【図４】
0003153506.tif 000006
【図５】
0003153506.tif 000007
【図６】
0003153506.tif 000008
【図７】
0003153506.tif 000009
【手続補正書】
【提出日】平成21年7月8日(2009.7.8)
【手続補正１】
【補正対象書類名】実用新案登録請求の範囲
【補正対象項目名】請求項４
【補正方法】変更
【補正の内容】
【請求項４】
調理容器の湯切り部に対向する嵌合部に容器本体と蓋体との通気間隙を設けた請求項１〜３のいずれかに記載の麺類調理容器。
【手続補正２】
【補正対象書類名】実用新案登録請求の範囲
【補正対象項目名】請求項５
【補正方法】変更
【補正の内容】
【請求項５】
調理する麺類を計量する孔を設けた計量具を脱着可能に設けてなる請求項１〜４のいずれかに記載の麺類調理容器。